(57)【要約】【課題】シート状物保持枠の部品点数を削減して構造を簡単化し、製造コストを削減することができる乾燥装置のシート状物保持装置を提供する。【解決手段】シート状物保持枠１５は、横断フレーム１４の両側に立設され、内側に弾性変形可能な１対の支柱１７と、支柱の先端部に且つ支柱と平行にその略中央部を固定された１対の保持枠１８と、保持枠上に挿入されたシート状物の縁部を挟持するように保持枠１８に取り付けられた１対のクリップ４０と、を備える。クリップ４０は、保持枠１８の側面との間でシート状物をばね力により挟持するように動く可動部４３を有し、可動部４３の先端部に保持枠の長手方向に沿って両側に延び且つばね弾性を有した延設片４３ａが設けられる。【選択図】図３
2011220618.tif 000002
【特許請求の範囲】
【請求項１】
チェーンコンベヤが炉体ハウジング内に敷設され、該チェーンコンベヤの両側のコンベヤチェーン間に多数の横断フレームが一定間隔で連結され、該各横断フレーム上にシート状物をクリップで保持するシート状物保持枠が取り付けられた乾燥装置のシート状物保持装置において、
該シート状物保持枠は、該横断フレームの両側で該横断フレームの長手方向と直角に配設された１対の保持枠と、該保持枠上に挿入されたシート状物の縁部を挟持するように該保持枠に取り付けられた１対のクリップと、を備えて構成され、
該クリップは、該保持枠の上面との間で該シート状物をばね力により挟持するように動く可動部を有し、該可動部の先端部には該保持枠の長手方向に沿って両側に延設されると共にばね弾性を有した延設片が設けられ、該保持枠の上面との間で該シート状物を挟持する際、該延設片の両側先端を該保持枠側に当接させながら該保持枠の末端側及び先端側に向けて伸張させるように該クリップが構成されたことを特徴とする乾燥装置のシート状物保持装置。
【請求項２】
前記シート状物保持枠は、横断フレームの両側に、支柱を内側に弾性変形可能に立設し、該支柱の先端部に且つ該支柱と平行に前記保持枠の略中央部を固定し、該保持枠上に挿入されたシート状物の縁部を挟持するためのクリップを該両側の保持枠に取り付けて構成され、
該クリップの可動部の延設片と該保持枠の上面との間でシート状物の両側縁部を挟持する際、少なくとも一方の保持枠の先端部と末端部を押圧機構により内側に押圧して、僅かに内側に前記支柱を弾性変形させ、該クリップを挟持動作させた後、該支柱の内側への押圧機構による押圧を解除させるように構成したことを特徴とする請求項１記載の乾燥装置のシート状物保持装置。
【発明の詳細な説明】
【技術分野】
【０００１】
本発明は、フィルム状プリント基板などの薄いシート状物を、乾燥炉内でコンベヤにより搬送しながら乾燥させる、乾燥装置のシート状物保持装置に関する。
【背景技術】
【０００２】
例えば、印刷処理などを施した薄いフィルム状のプリント基板（シート状物）を乾燥させる場合、連続的に効率よく乾燥処理するために、コンベヤを設けたトンネル式の乾燥炉が使用され、シート状物を乾燥炉内でコンベヤにより搬送しながら連続的に乾燥処理を行っている。
【０００３】
この種のシート状物は、合成樹脂、金属などによりフィルム状に形成されており、非常に薄く、こしがなく、自立保持性を有しないこともあって、乾燥炉内を移動して乾燥処理される間、加熱乾燥によってカールしたり、波うち変形を生じやすい。このため、下記特許文献１などにおいて、シート状物を保持枠内で伸張状態に保持しながら、コンベヤにより搬送して、乾燥処理する乾燥装置が提案されている。
【０００４】
この乾燥装置は、シート状物を伸張状態で保持しながら、コンベヤにより乾燥炉内を移動させて加熱乾燥処理するために、コンベヤチェーンに多数の方形保持枠を、間隔をおいて取り付け、これらの方形保持枠の上辺部と左右の側辺部に各々１対のクリップを取り付け、シート状物の左右の辺部と上辺部をそれらのクリップで挟持する。さらに、方形枠の左右の側辺部の一方を、固定枠に対し移動可能な可動枠とし、可動枠をばねにより外側に付勢する構造とし、これにより、可動枠のクリップで挟持したシート状物の一側辺部を、外側に引っ張るようにして保持し、それらの方形保持枠をコンベヤにより乾燥炉内で搬送しながら、乾燥を行うようにしている。
【先行技術文献】
【特許文献】
【０００５】
【特許文献１】特開２００６−３４２９８８号公報
【発明の概要】
【発明が解決しようとする課題】
【０００６】
しかし、従来のこの種の乾燥装置におけるシート状物の保持装置は、上述の如く、方形保持枠の上辺枠と左右の側辺枠に合わせて６個のクリップを取り付け、さらに、一方の側辺枠は、可動枠として固定枠に対し移動可能に配設し、可動枠をコイルばねにより外側に付勢する構造とするため、各シート状物を保持枠に保持させる搬入部と乾燥した後のシート状物を外す搬出部において、６個のクリップを開くために使用される６本のエアーシリンダを設置する一方、可動枠を平行移動させるために２本のエアーシリンダを設置する必要があり、各方形保持枠を構成する部品及び乾燥装置の搬入部と搬出部の部品の部品点数が非常に多く、構造が複雑化するため、製造コストの増大が課題となっていた。
【０００７】
本発明は、上述の課題を解決するものであり、シート状物保持枠の部品点数を削減して構造を簡単化し、製造コストを削減することができる乾燥装置のシート状物保持装置を提供することを目的とする。
【課題を解決するための手段】
【０００８】
本発明に係る乾燥装置のシート状物保持装置は、チェーンコンベヤが炉体ハウジング内に敷設され、該チェーンコンベヤの両側のコンベヤチェーン間に多数の横断フレームが一定間隔で連結され、該各横断フレーム上にシート状物をクリップで保持するシート状物保持枠が取り付けられた乾燥装置のシート状物保持装置において、
該シート状物保持枠は、該横断フレームの両側で該横断フレームの長手方向と直角に配設された１対の保持枠と、該保持枠上に挿入されたシート状物の縁部を挟持するように該保持枠に取り付けられた１対のクリップと、を備えて構成され、
該クリップは、該保持枠の上面との間で該シート状物をばね力により挟持するように動く可動部を有し、該可動部の先端部には該保持枠の長手方向に沿って両側に延設されると共にばね弾性を有した延設片が設けられ、該保持枠の上面との間で該シート状物を挟持する際、該延設片の両側先端を該保持枠側に当接させながら該保持枠の末端側及び先端側に向けて伸張させるように該クリップが構成されたことを特徴とする。
【０００９】
この発明によれば、クリップを開放した状態で、シート状物保持枠の内側にシート状物を挿入し、クリップを閉じてばね力によりシート状物の縁部を挟持させたとき、クリップの可動部の両側に延びる延設片が、保持枠の上面に押し付けられる際、シート状物の両側縁部に沿って位置する、両側延設片の両端部がシート状物の縁部を保持枠との間で幅広く挟持するため、従来のように両側の保持枠に合計４個のクリップを配置する代わりに、２個のクリップを使用してシート状物の両側縁部を挟持することができ、クリップの数を削減すると共に、クリップを開放させるクリップ開放装置の数も２個に削減することができる。
【００１０】
また、クリップの可動部の延設片は、保持枠の側面との間でシート状物を挟持する際、延設片の両側先端を保持枠側に当接させながら保持枠の末端及び先端に向けて伸張させるように挟持するため、これによって、シート状物の上部の両側縁部が上方に伸張され且つその下部の両側縁部が下方に伸張され、２個のクリップであっても、シート状物の両側縁部を広く挟持すると共に、保持枠の長手方向にシート状物を伸張して挟持することができる。
【００１１】
ここで、上記シート状物保持装置において、上記シート状物保持枠は、横断フレームの両側に、支柱を内側に弾性変形可能に立設し、該支柱の先端部に且つ該支柱と平行に前記保持枠の略中央部を固定し、該保持枠上に挿入されたシート状物の縁部を挟持するためのクリップを該両側の保持枠に取り付けて構成され、該クリップの可動部の延設片と該保持枠の上面との間でシート状物の両側縁部を挟持する際、少なくとも一方の保持枠の先端部と末端部を押圧機構により内側に押圧して、僅かに内側に前記支柱を弾性変形させ、該クリップを挟持動作させた後、該支柱の内側への押圧機構による押圧を解除させるように構成することが好ましい。
【００１２】
この発明によれば、クリップを開放した状態でシート状物をシート状物保持枠内に挿入し、押圧機構により保持枠の先端部と末端部を内側に押圧すると、保持枠を支持する支柱が内側に僅かに弾性変形し、これによって保持枠が僅かに内側に平行移動する。このとき、両側のクリップを閉じてシート状物を挟持させ、その後、押圧機構による保持枠の押圧を解除したとき、両側の支柱が外側に弾性復帰し、これにより、シート状物の両側縁部を幅広く挟持する両側の保持枠がシート状物を左右両側（保持枠の長手方向と直角の方向）に伸張させる。このため、保持枠に挟持されるシート状物は、クリップによる保持枠の長手方向への伸張と共に、シート状物を保持枠の長手方向と直角な方向に伸張させた状態、つまり二次元ＸＹ平面上のＸ軸、Ｙ軸方向に伸張させた状態で、良好に保持することができる。しかも、このシート状物保持装置は、コイルばねなどのバネ部品を使用せず、支柱の弾性を使用してシート状物を左右両側に伸張させるため、構造が簡単で、部品点数も少なく、安価に装置を製造することができる。
【発明の効果】
【００１３】
本発明の乾燥装置のシート状物保持装置によれば、左右両側に配置した保持枠と両側の保持枠に取り付けた２個のクリップによる簡単な構造のシート状物保持枠を用いて、シート状物を平面二次元方向に伸張させることができ、保持装置の部品点数を削減して構造を簡単化し、製造コストを削減することができる。
【図面の簡単な説明】
【００１４】
【図１】本発明の一実施形態を示す乾燥装置の全体概略正面図である。
【図２】図１のII-II拡大断面図である。
【図３】シート状物の投入部に位置するシート状物保持枠の平面図である。
【図４】投入部におけるシート状物保持枠の側面図である。
【図５】シート状物保持枠の拡大背面図である。
【図６】シート状物保持枠の平面図である。
【図７】（ａ）はクリップの正面図、（ｂ）は同右側面図、（ｃ）は同底面図である。
【図８】クリップを開放した状態のシート状物保持枠の拡大正面図である。
【図９】クリップを開放した状態のシート状物保持枠の側面図である。
【図１０】シート状物保持枠の保持枠を押圧機構により押圧した状態の平面図である。
【図１１】シート状物を挟持した状態のシート状物保持枠の平面図である。
【発明を実施するための形態】
【００１５】
以下、本発明の一実施形態を図面に基づいて説明する。図１は、印刷処理などを施した薄いフィルム状プリント基板などのシート状物Ｓを、コンベヤ炉４内で乾燥させる乾燥装置の概略構成図を示している。この乾燥装置の前段部には、プリント処理などを施したシート状物Ｓを乾燥工程部に搬入する搬入装置１、搬入装置１から送られたシート状物Ｓをチェーンコンベヤ１０上の各シート状物保持枠１５に投入する投入部２が配設される。
【００１６】
さらに、乾燥装置の前段部に続く部分には、シート状物Ｓを風により乾燥させる風乾部３が設けられ、風乾部３の次段にはシート状物Ｓを熱風により乾燥させるコンベヤ炉４が設けられる。コンベヤ炉４に続いて、加熱乾燥したシート状物Ｓを冷やすための冷却部５が設けられ、冷却部５に続いて、乾燥したシート状物Ｓを搬出するための搬出部６が設けられる。
【００１７】
チェーンコンベヤ１０は、投入部２、風乾部３、コンベヤ炉４、冷却部５から搬出部６にかけて乾燥装置内を水平に貫通して敷設され、コンベヤの先端部と末端部に回転軸が配設され、回転軸の両側にチェーンスプロケットが軸支され、両側のチェーンスプロケット間に無端状のコンベヤチェーン１２が掛け渡されて構成される。両側のコンベヤチェーン１２間には、図３のように、横断フレーム１４が取付金具１３を介して一定間隔で連結され、各横断フレーム１４上に、シート状物Ｓをクリップ４０で保持するシート状物保持枠１５が、取り付けられている。
【００１８】
シート状物保持枠１５は、図５、図６に示すように、横断フレーム１４の両側に立設され、内側に弾性変形可能な１対の支柱１７と、支柱１７の先端部にその略中央部を固定され、支柱１７と平行に配置された１対の保持枠１８と、投入部２で保持枠１８上に挿入されるシート状物Ｓの縁部を挟持するように、保持枠１８の略中央部に取り付けられた１対のクリップ４０と、を備えて構成される。
【００１９】
横断フレーム１４の両側に垂直に立設された支柱１７は、その上部が弾性変形部１７ａとして薄く形成されており、押圧機構のエアーシリンダ５２により保持枠１８の上部と下部が内側に押圧されて平行移動したとき、支柱１７の弾性変形部１７ａが内側に僅かに弾性変形し、且つエアーシリンダ５２による押圧を解除したときには、支柱１７は元の状態に弾性復帰するようになっている。このように支柱１７が弾性復帰したとき、支柱１７の先端部に支柱１７と同じ方向に平行に固定された両側の保持枠１８が、外側に僅かに復元移動し、これによって、クリップ４０で挟持されたシート状物Ｓを、保持枠１８の長手方向と直角な左右方向に伸張する構造となっている。
【００２０】
つまり、両側に平行に配置された１対の保持枠１８は、その略中央部が支柱１７の先端部に固定され、押圧機構のエアーシリンダ５２により両側の保持枠１８の先端部と末端部が内側に押されたとき、支柱１７の弾性変形部１７ａが僅かに内側に弾性変形し、両側の保持枠１８間の間隔が僅かに縮小されるようになっている。
【００２１】
なお、保持枠１８はその横断面が略Ｚ状のアングル材から形成され、支柱１７の先端部が保持枠１８の内側に入って固定されるため、エアーシリンダ５２は支柱１７に干渉せずに保持枠１８の下部を内側に押圧することができる。また、エアーシリンダ５２には、電磁ソレノイドなど別の押圧機構を使用することもできる。また、この実施形態では、両側の保持枠１８を内側に押圧しているが、一方の支柱１７の保持枠１８のみを内側に押圧機構に押圧し、一方の支柱１７のみを内側に弾性変形させ、シート状物を横断フレーム１４に沿った左右方向に伸張させることもできる。
【００２２】
図３などに示す如く、両側の保持枠１８の上面には、可動部４３に細長い延設片４３ａを可動部４３の両側に突き出すように設けたクリップ４０が、各々内側を向けて取り付けられている。２個のクリップ４０はその可動部４３の延設片４３ａを保持枠１８に沿うように取り付けられ、可動部４３と保持枠１８との間でシート状物Ｓの縁部を挟持するようになっている。
【００２３】
クリップ４０は、図７に示すように、固定部４１に対し回動軸４２を介して可動部４３を回動可能に取り付けており、回動軸４２の回りにトーションばね４４を装着し、トーションばね４４のばね力により可動部４３を保持枠１８の上面に押し付けるように付勢している。クリップ４０の固定部４１は保持枠１８上に固定される。クリップ４０の可動部４３の先端部には、保持枠１８の長手方向に沿って両側に延び且つばね弾性を有した延設片４３ａが設けられる。この可動部４３の延設片４３ａは、図７に示すように、非常に長く帯状に形成され、且つ延設片４３ａはその先端部を保持枠１８側（クリップの内側）に僅かに曲げて設けられている。これにより、保持枠１８上でクリップ開放装置により押し開かれたクリップ４０は、図８に示すように、その可動部４３の延設片４３ａの両側先端部が保持枠１８側に僅かに曲がった状態となる。そして、クリップ４０の押し開きを解除すると、クリップ４０は、図５に示すように、トーションばね４４の付勢力により可動部４３が回動し、その延設片４３ａが保持枠１８側に押し付けられ、保持枠１８と延設片４３ａとの間で、シート状物Ｓを挟持する。このとき、延設片４３ａはその両側先端を保持枠１８の上面に当接させてシート状物Ｓを挟持するが、このとき、延設片４３ａの両側先端部は、保持枠１８の末端側及び先端側に向けて僅かに伸張させるように移動してシート状物Ｓを挟持する。これにより、シート状物Ｓを保持枠１８の長手方向に沿って伸張させるようになっている。
【００２４】
このように、シート状物Ｓは、投入部２において、その両側縁部が、シート状物保持枠１５の保持枠１８に、１対のクリップ４０により保持されるが、投入部２の所定位置には、図４、９に示すように、クリップ４０の可動部４３を押圧してクリップを開放するクリップ開放装置として、１対のエアーシリンダ５１が配設され、このエアーシリンダ５１によりクリップ４０の可動部４３を押圧してクリップ４０の可動部４３及び延設片４３ａを開く構造となっている。
【００２５】
したがって、このシート状物保持枠１５は、従来のように両側の保持枠に合計４個のクリップを配置する代わりに、延設片４３ａを設けた２個のクリップ４０を使用してシート状物Ｓの両側縁部を挟持するため、クリップの数を削減することができ、クリップを開放させるクリップ開放装置のエアーシリンダ５１の数も２個に削減することができる。
【００２６】
また、クリップ４０の可動部４３の延設片４３ａは、保持枠１８の側面との間でシート状物Ｓを挟持する際、延設片４３ａの両側先端を保持枠側に当接させながら保持枠１８の末端及び先端に向けて伸張させるように動くため、これによって、シート状物Ｓの上部の両側縁部が保持枠１８の長手方向に伸張され且つその下部の両側縁部も保持枠１８の長手方向に伸張され、２個のクリップ４０であっても、シート状物を二次元ＸＹ平面のＸ軸及びＹ軸に沿って伸張した状態で挟持することができる。
【００２７】
乾燥装置のコンベヤ炉４は、図２に示すように、断熱壁９ａで両側面及び上下面を形成された炉体ハウジング９内に、チェーンコンベヤ１０を敷設して形成される。炉体ハウジング９内におけるチェーンコンベヤ１０の上搬送路１０ａの上方を囲うように、内側包囲壁２１が縦方向に、且つコンベヤの長手方向に沿って連続して配設される。内側包囲壁２１と炉体ハウジング９の断熱壁９ａ間の一側に通風路２２が形成され、内側包囲壁２１内に形成された炉室２５内にチェーンコンベヤ１０の上搬送路１０ａが配設される。
【００２８】
コンベヤチェーン１２の下側に通風路２２と内側包囲壁２１内を連通する連通口２３が設けられる。炉体ハウジング９内の一側に形成された縦方向の通風路２２内に、加熱用のヒータ２４が設置され、その通風路２２の上部には通風路内の空気を内側包囲壁２１内の炉室２５内に送風するための送風機２６が設けられる。ヒータ２４と送風機２６はコンベヤ炉４内の長手方向に間隔をおいて複数台設置される。
【００２９】
さらに、内側包囲壁２１の上部の炉室２５内にフィルタ保持部が形成され、そこにＨＥＰＡフィルタなどを用いて炉室フィルタ２７が設けられる。一方、炉室２５内の下部には、上搬送路１０ａの下側を覆うように分流板２８が設けられる。また、チェーンコンベヤ１０の下搬送路１０ｂの両側がカバー体２９により下側から覆われ、その中の空気を吸引して外部に排気するための排気ファン３０がカバー体２９に取り付けられ、排気ファン３０からの排気は排気管路３２を通して排気される。
【００３０】
乾燥処理されるシート状物Ｓは、図１に示すように、搬入装置１により投入部２に送られ、投入部２で、チェーンコンベヤ１０により移動するシート状物保持枠１５に保持される。チェーンコンベヤ１０は、投入部２でシート状物保持枠１５が水平状態になったとき、所定時間停止するように、間欠運転される。
【００３１】
投入部２では、シート状物保持枠１５が所定水平位置で停止する間、クリップ開放装置のエアーシリンダ５１がクリップ４０の可動部４３を押圧動作して、クリップ４０を開放状態とする。また、このとき、押圧機構の２対のエアーシリンダ５２が両側の保持枠１８の上部と下部を各々内側に押圧し、支柱１７を内側に弾性変形させて、両側の保持枠１８を僅かに内側に平行に変位させる。このように変位した保持枠１８の上面と開放されたクリップ４０の内側間に、シート状物Ｓが搬入装置により挿入される。
【００３２】
シート状物Ｓが保持枠１８とクリップ４０の可動部４３の延設片４３ａ間に挿入されると、クリップ開放装置のエアーシリンダ５１が引き戻し動作してクリップ４０の可動部４３がトーションばね４４により復帰回動し、クリップ４０が閉じてシート状物Ｓを挟持する。
【００３３】
このとき、１対のクリップ４０の可動部４３における両側の延設片４３ａは、その先端部が、保持枠１８の側面との間でシート状物Ｓを、ばね弾性を持って挟みながら、保持枠１８の末端及び先端側に向けて伸張させるように挟持する。このため、保持枠先端側のシート状物Ｓの両側縁部が先端側に伸張され、且つその末端側の両側縁部が末端側に伸張され、２個のクリップであっても、シート状物Ｓの保持枠１８の長手方向に沿った両側縁部を幅広く挟持すると共に、その両側縁部を保持枠１８の長手方向に僅かに伸張した状態で挟持する。
【００３４】
続いて、両側の保持枠１８の上部と下部を各々内側に押圧していた、押圧機構の２対のエアーシリンダ５２が、引き戻し動作して支柱１７への押圧動作を解除する。これにより、両側の支柱１７がそのばね弾性により外側に僅かに復帰し、両側の保持枠１８が僅かに外側に平行移動する。これによって、シート状物保持枠１５の保持枠１８に保持されたシート状物Ｓは、両側の保持枠１８により保持された両側縁部を左右両側方向（保持枠１８の長手方向と直角の方向）に伸張され、２個のクリップ４０による保持枠１８の長手方向に沿った伸張と共にその長手方向と直角の方向にも伸張され、シート状物の全体が二次元ＸＹ平面のＸ軸とＹ軸に沿って伸張された状態で保持される。
【００３５】
このようにして、チェーンコンベヤ１０の各シート状物保持枠１５に伸張して保持されたシート状物Ｓは、風乾部３からコンベヤ炉４へと送られ、そこで熱風を受けて加熱乾燥される。その後、シート状物Ｓは、冷却部５を通り、温度が冷まされた状態で搬出部６に到達する。そして、搬出部６において、上述した投入部２と同様に、各シート状物保持枠１５がチェーンコンベヤ１０の末端部で水平状態となって間欠停止したとき、クリップ開放装置が動作して両側のクリップ４０を開放し、挟持を解除したシート状物Ｓがシート状物保持枠１５から取り出され、搬出装置によりシート状物Ｓは乾燥装置から搬出される。
【００３６】
このように、被乾燥物のシート状物Ｓは、シート状物保持枠１５によって、その保持枠１８の長手方向とそれと直角方向の両方向に伸張された状態で保持されながら、乾燥処理されるので、フィルム状の薄いシート状物であっても、カールしたり、或いは皺がよったりせずに、良好な伸張状態で乾燥処理することができる。
【００３７】
また、シート状物保持枠１５は、両側に立設した支柱１７の先端部に、保持枠１８の略中央部を平行に固定し、両側の保持枠１８にクリップ４０を取り付けるだけの簡単な構造とし、また、クリップ４０を開放するクリップ開放装置及び支柱１７を内側に押圧してシート状物の左右方向を伸張させる押圧機構も、部品点数を少なくした簡単な構造とすることができ、これにより、低コストでシート状物保持装置を製造することができる。
【符号の説明】
【００３８】
１      搬入装置
２      投入部
３      風乾部
４      コンベヤ炉
５      冷却部
６      搬出部
１０    チェーンコンベヤ
１０ａ  上搬送路
１０ｂ  下搬送路
１２    コンベヤチェーン
１３    取付金具
１４    横断フレーム
１５    シート状物保持枠
１７    支柱
１７ａ  弾性変形部
１８    保持枠
２１    内側包囲壁
２２    通風路
２３    連通口
２４    ヒータ
２５    炉室
２６    送風機
２７    炉室フィルタ
２８    分流板
２９    カバー体
３０    排気ファン
３２    排気管路
４０    クリップ
４１    固定部
４２    回動軸
４３    可動部
４３ａ  延設片
５１    エアーシリンダ
５２    エアーシリンダ
Ｓ      シート状物
【図１】
2011220618.tif 000003
【図２】
2011220618.tif 000004
【図３】
2011220618.tif 000005
【図４】
2011220618.tif 000006
【図５】
2011220618.tif 000007
【図６】
2011220618.tif 000008
【図７】
2011220618.tif 000009
【図８】
2011220618.tif 000010
【図９】
2011220618.tif 000011
【図１０】
2011220618.tif 000012
【図１１】
2011220618.tif 000013